【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
画像形成装置と接続可能な情報処理装置であって、
前記画像形成装置により印刷可能なユーザー定義用紙のサイズの範囲を設定するための用紙サイズ設定画面を表示するユーザーインターフェース手段と、
前記用紙サイズ設定画面を用いて前記ユーザー定義用紙のサイズの範囲を設定する設定手段と、
複数のユーザー定義用紙から前記用紙サイズ設定画面において設定された前記ユーザー定義用紙のサイズの範囲により有効化されるユーザー定義用紙を選択する選択手段と、
前記選択されたユーザー定義用紙を、印刷設定情報の用紙サイズの選択肢として表示する表示手段と
を備えることを特徴とする情報処理装置。
【請求項２】
前記用紙サイズ設定画面において定型用紙が設定されると、前記ユーザー定義用紙のサイズの範囲を、設定された前記定型用紙に応じて変更する変更手段と、
印刷可能な用紙リストの要求に応じて、印刷可能な定型用紙と前記印刷可能なユーザー定義用紙のサイズの範囲に該当するユーザー定義用紙とのリストを前記要求元に返す手段と
を有すること特徴とする請求項１に記載の情報処理装置。
【請求項３】
前記変更手段は、前記印刷可能なユーザー定義用紙の幅と高さの範囲を変更する前に、変更を行うことの確認要求を表示することを特徴とする請求項２に記載の情報処理装置。
【請求項４】
前記変更手段は、前記ユーザーインターフェース手段により前記印刷可能な定型用紙が設定されると、前記印刷可能なユーザー定義用紙の幅と高さの範囲を、設定された前記印刷可能な定型用紙が収まる範囲に変更することを特徴とする請求項２又は３に記載の情報処理装置。
【請求項５】
前記変更手段はさらに、前記ユーザーインターフェース手段により前記印刷可能なユーザー定義用紙の幅と高さの範囲が設定されると、前記印刷可能な定型用紙を、設定された前記印刷可能なユーザー定義用紙の幅と高さの範囲に応じて変更することを特徴とする請求項２乃至４のいずれか一項に記載の情報処理装置。
【請求項６】
前記ユーザーインターフェース手段は、前記印刷可能な定型用紙および前記印刷可能なユーザー定義用紙の幅と高さの範囲を、片面印刷について印刷可能な定型用紙およびユーザー定義用紙の幅と高さの範囲と、面の制約がない定型用紙およびユーザー定義用紙の幅と高さの範囲とについてそれぞれ設定でき、
前記変更手段は、前記ユーザーインターフェース手段により前記印刷可能な定型用紙が設定されると、前記印刷可能なユーザー定義用紙の幅と高さの範囲を、設定された前記印刷可能な定型用紙に応じて、片面印刷について印刷可能な定型用紙およびユーザー定義用紙の幅と高さの範囲と、面の制約がない定型用紙およびユーザー定義用紙の幅と高さの範囲とについてそれぞれ変更することを特徴とする請求項２乃至５のいずれか一項に記載の情報処理装置。
【請求項７】
画像形成装置と接続可能な情報処理装置であって、
前記画像形成装置により印刷可能な定型用紙および印刷可能なユーザー定義用紙の幅と高さの範囲を設定するための用紙サイズ設定画面を表示するユーザーインターフェース手段と、
前記用紙サイズ設定画面において設定された前記印刷可能な定型用紙および前記印刷可能なユーザー定義用紙の幅と高さの範囲を保存する手段と、
前記ユーザーインターフェース手段により前記印刷可能なユーザー定義用紙の幅と高さの範囲が設定されると、前記印刷可能な定型用紙を、設定された前記印刷可能なユーザー定義用紙の幅と高さの範囲に応じて変更する変更手段と、
印刷可能な用紙リストの要求に応じて、前記印刷可能な定型用紙と前記印刷可能なユーザー定義用紙サイズの幅と高さの範囲に該当するユーザー定義用紙とのリストを前記要求元に返す手段と
を有すること特徴とする情報処理装置。
【請求項８】
前記変更手段は、前記印刷可能な定型用紙を変更する前に、変更を行うことの確認要求を表示することを特徴とする請求項７に記載の情報処理装置。
【請求項９】
前記変更手段は、前記印刷可能なユーザー定義用紙の幅と高さの範囲が設定されると、前記印刷可能な定型用紙を、設定された前記印刷可能なユーザー定義用紙の幅と高さの範囲に収まる定型用紙に変更することを特徴とする請求項７又は８に記載の情報処理装置。
【請求項１０】
前記ユーザーインターフェース手段はさらに、前記印刷可能な定型用紙および前記印刷可能なユーザー定義用紙サイズの幅と高さの範囲の一括での設定が可能であり、
前記変更手段は、前記一括での設定が行われた場合に、前記定型用紙または前記ユーザー定義用紙の幅と高さを変更しないことを特徴とする請求項２乃至９のいずれか一項に記載の情報処理装置。
【請求項１１】
前記印刷可能なユーザー定義用紙サイズの幅と高さの範囲より大きな用紙サイズの印刷要求に対して、前記印刷可能な定型用紙のいずれかのサイズに縮小して印刷処理を行なうことを特徴とする請求項２乃至１０のいずれか一項に記載の情報処理装置。
【請求項１２】
前記印刷可能なユーザー定義用紙サイズの幅と高さの範囲より大きな用紙サイズの印刷要求に対して、前記印刷可能なユーザー定義用紙サイズの幅と高さの範囲にあるユーザー定義用紙のいずれかのサイズに縮小して印刷処理を行なうことを特徴とする請求項２乃至１１のいずれか一項に記載の情報処理装置。
【請求項１３】
前記画像形成装置として、複数種類の画像形成装置と接続可能であることを特徴とする請求項１乃至１２のいずれか一項に記載の情報処理装置。
【請求項１４】
画像形成装置と接続可能な情報処理装置による用紙サイズ設定方法であって、
前記画像形成装置により印刷可能なユーザー定義用紙のサイズの範囲を設定するための用紙サイズ設定画面を表示するユーザーインターフェース工程と、
前記用紙サイズ設定画面を用いて前記ユーザー定義用紙のサイズの範囲を設定する設定工程と、
複数のユーザー定義用紙から前記用紙サイズ設定画面において設定された前記ユーザー定義用紙のサイズの範囲により有効化されるユーザー定義用紙を選択する選択工程と、
前記選択されたユーザー定義用紙を、印刷設定情報の用紙サイズの選択肢として表示する表示工程と
を有すること特徴とする用紙サイズ設定方法。
【請求項１５】
画像形成装置と接続可能な情報処理装置による用紙サイズ設定方法であって、
前記画像形成装置により印刷可能な定型用紙および印刷可能なユーザー定義用紙の幅と高さの範囲を設定するための用紙サイズ設定画面を表示するユーザーインターフェース工程と、
前記用紙サイズ設定画面において設定された前記印刷可能な定型用紙および前記印刷可能なユーザー定義用紙の幅と高さの範囲を保存する工程と、
前記ユーザーインターフェース工程により前記印刷可能なユーザー定義用紙の幅と高さの範囲が設定されると、前記印刷可能な定型用紙を、設定された前記印刷可能なユーザー定義用紙の幅と高さの範囲に応じて変更する変更工程と、
印刷可能な用紙リストの要求に応じて、前記印刷可能な定型用紙と前記印刷可能なユーザー定義用紙サイズの幅と高さの範囲に該当するユーザー定義用紙とのリストを前記要求元に返す工程と
を有すること特徴とする用紙サイズ設定方法。
【請求項１６】
コンピュータを、
前記画像形成装置により印刷可能なユーザー定義用紙のサイズの範囲を設定するための用紙サイズ設定画面を表示するユーザーインターフェース手段と、
前記用紙サイズ設定画面を用いて前記ユーザー定義用紙のサイズの範囲を設定する設定手段と、
複数のユーザー定義用紙から前記用紙サイズ設定画面において設定された前記ユーザー定義用紙のサイズの範囲により有効化されるユーザー定義用紙を選択する選択手段と、
前記選択されたユーザー定義用紙を、印刷設定情報の用紙サイズの選択肢として表示する表示手段と
して機能させるためのプログラム。
【請求項１７】
コンピュータを、
前記画像形成装置により印刷可能な定型用紙および印刷可能なユーザー定義用紙の幅と高さの範囲を設定するための用紙サイズ設定画面を表示するユーザーインターフェース手段と、
前記用紙サイズ設定画面において設定された前記印刷可能な定型用紙および前記印刷可能なユーザー定義用紙の幅と高さの範囲を保存する手段と、
前記ユーザーインターフェース手段により前記印刷可能なユーザー定義用紙の幅と高さの範囲が設定されると、前記印刷可能な定型用紙を、設定された前記印刷可能なユーザー定義用紙の幅と高さの範囲に応じて変更する変更手段と、
印刷可能な用紙リストの要求に応じて、前記印刷可能な定型用紙と前記印刷可能なユーザー定義用紙サイズの幅と高さの範囲に該当するユーザー定義用紙とのリストを前記要求元に返す手段と
して機能させるためのプログラム。
【手続補正２】
【補正対象書類名】図面
【補正対象項目名】図１５
【補正方法】変更
【補正の内容】
【図１５】
2015118570.tif 000001